(57)【特許請求の範囲】
【請求項１】
棒状アンテナの周側に突設した平面視コ形の取付け枠と支柱に設けた支持盤および前記取付け枠と前記支持盤との間に介在させた取付け金具を備え、取付け金具は、金属板を屈曲して互いに直交方向に連設した立面板と水平板および両板の連設部の両側に両板に対して角度を持たせて連続する三角状の傾斜板とで成り、前記立面板には前記取付け枠の中央部片に設けた取付け孔と一致させて取付けボルトを挿通させる支持孔を設けると共に、前記水平板には前記支持盤に設けた第一透孔と一致させて軸ボルトを挿通させる軸孔と、該軸孔を中心とした同心円上に並べて位置して適宜のものを前記支持盤に設けた第二透孔と一致させて調整ボルトを挿通する方位角調整孔をそれぞれ設けた、棒状アンテナの取付け装置。
【発明の詳細な説明】
【技術分野】
【０００１】
本発明は、同軸系アンテナなどの棒状アンテナを支柱に取付ける際に用いる、棒状アンテナの取付け装置に関するものである。
【背景技術】
【０００２】
携帯電話などの基地局に設けられる同軸系の棒状アンテナを支柱に取付けるには、該棒状アンテナに巻付けたバンド片の、相対する、両端のフランジ部片を、支柱を介在させて相対向させた一対の両端にそれぞれフランジ部片を備えた挟持片の一方のフランジ部片間に介在させ、互いに重なり合う各フランジ部片同士をボルトとこれに螺合するナットによって締付けるようにした構造のものがある（例えば、特許文献１）。
【先行技術文献】
【特許文献】
【０００３】
【特許文献１】特開２００８−８５９１３号公報
【発明の概要】
【発明が解決しようとする課題】
【０００４】
前記従来構造のものは、棒状アンテナ側のバンド片と支柱側の挟持片をフランジ部片においてボルトで組付ける構成を採るので、ボルトが緩み、バンド片（アンテナ）側がボルトを横軸にして回動降下し、アンテナの方向が設定当時から変化し、不都合が生じるおそれがある。
【０００５】
本発明は、設定（取付け）当時から変化することなく、しかも、棒状アンテナを簡単な構造（部品点数が少ない）で支柱に容易に取付け、確実に支持することのできる装置を提供することを目的として創案したものである。
【課題を解決するための手段】
【０００６】
棒状アンテナの周側に突設した平面視コ形の取付け枠と支柱に設けた支持盤および前記取付け枠と前記支持盤との間に介在させた取付け金具を備え、取付け金具は、金属板を屈曲して互いに直交方向に連設した立面板と水平板および両板の連設部の両側に両板に対して角度を持たせて連続する三角状の傾斜板とで成り、前記立面板には前記中央部片に設けた取付け孔と一致させて取付けボルトを挿通させる支持孔を設けると共に、前記水平板には前記支持盤に設けた第一透孔と一致させて軸ボルトを挿通させる軸孔と、該軸孔を中心とした同心円上に並べて位置して適宜のものを前記支持盤に設けた第二透孔と一致させて調整ボルトを挿通する方位角調整孔をそれぞれ設けた構成とする。
【発明の効果】
【０００７】
本発明によれば、棒状アンテナ側に設けた取付け枠と、支柱側に設けた支持基盤を取付け金具を介して互いに組付けることにより、棒状アンテナを支柱に簡単に取付けることができる。しかも、取付け金具は金属板を屈曲して互いに直交方向に連設した立面板と水平板および該両板の連設部の両側に各板に対して角度を持たせて連続させた三角状の傾斜板を備えたものであるから、構造が簡単であるにも係らず耐荷重性を備え、従って、棒状アンテナの安定した取付け状態を得ることができる。そして、アンテナの方位角を予め設定した範囲内で自在に設定し、該設定した方位角も経時変化することなく、実用的な棒状アンテナの取付け装置を提供することができる。
【図面の簡単な説明】
【０００８】
【図１】平面図。
【図２】取付け金具と取付け枠の関係を示す斜視図。
【図３】取付け金具と支持盤の関係を示す斜視図。
【図４】支持盤の斜視図。
【図５】棒状アンテナを支柱に取付けた状態の正面図。
【図６】取付け金具の正面図。
【図７】取付け金具の平面図。
【図８】取付け金具の側面図。
【図９】図６のａ−ａ線断面図。
【図１０】図８のｂ−ｂ線断面図。
【実施例】
【０００９】
図面は、本発明に係る棒状アンテナの取付け装置の一実施例を示し、実施例は、支柱ｐに上下一対の支持盤１をブレード６を用いて取付け、各支持盤１，１に取付け枠２と取付け金具３を用いて棒状アンテナａを取付け、棒状アンテナａを支柱ｐに上下２個所において支持させるようにしたものである。
【００１０】
本発明は、支柱ｐの周側面に突設した支持盤１に、棒状アンテナａの周側面に突設した取付け枠２を取付金具３を介して取付け、前記棒状アンテナａを支柱ｐに方位角調整自在に取付けて構成する。
【００１１】
前記支持盤１は、支柱ｐの周側に合わせた弧状の当接部片１ａの上、下両端に上、下部片１ｂ，１ｃを相対設した、断面ややコ形状の枠体で成り、底辺部側が前記当接部片１ａに連続する平面視略等辺三角形状の前記上部片１ｂに、軸ボルト１５挿通用の第一透孔４と、調整ボルト１７挿通用の第二透孔５を、第一透孔４を前記三角形状の頂点部に、第二透孔５を前記底辺部の中央に位置するようにして設けて構成したものである。
【００１２】
この支持盤１は、電柱ｐ周側に当てがった当接部片１ａと、該当接部片１ａと同様に電柱ｐ周側面に当てがったブレード６のそれぞれの両端に設けた緊締受部１ａ´，１ａ´、６´，６´の隣接するもの同士に緊締ボルト７をわたし、一方より突出する該ボルト７の先端に緊締ナット８を螺合、締付けることにより、支柱ｐに組付け、その周側に突設されている。
【００１３】
前記取付け枠２は、金属板を屈曲して、中央部片２ａの両側に側部片２ｂ，２ｂを相対設し、該側部片２ｂの自由端に、棒状アンテナａの周側に沿う弧状の止着部片２ｃを連設して構成したもので、止着部片２ｃを棒状アンテナａの周側に重ね合わせて透孔２０を通じてねじ２１で止着して、棒状アンテナａの周側に突設したものである。
【００１４】
前記取付け金具３は、金属板を屈曲して互いに直交方向に連設した立面板３ａと水平板３ｂを備え、該立面板３ａと水平板３ｂの連設部９（立面板３ａと水平板３ｂが成すコーナー部）の両側に前記各板３ａ，３ｂに対して角度を持たせて（傾斜させて）連続する三角状の傾斜板３ｃを備えた枠体で構成する。この取付金具３の前記立面板３ａには前記取付け枠２の中央部片２ａに設けた取付け孔１０（実施例では4個所設けてあるが、複数個所あれば良い）に対応させて支持孔１１を設け、水平板３ｂには、支持盤１に設けた前記第一透孔４と一致させる軸孔１２と、該軸孔１２を中心とする同心円上に設けた適宜数の方位角調整孔１３，…を前記第二透孔５に一致するようにして設けたものである。
【００１５】
そして、立面板３ａに設けた支持孔１１とアンテナａに突設した取付け枠２の中央部片２ａに設けた取付け孔１０に取付けボルト１４を挿通させ、該ボルト１４に取付けナット１６（図示、１６Ａはロックナットを示す）を螺合することにより、取付け金具３と取付け枠２は互いに組付けられる。また、水平板３ｂに設けた軸孔１２と支持盤１側の第一透孔４を一致させて軸ボルト１５を挿通してその先端にナット１８（１８Ａはロックナット）を螺合する一方、適宜の方位角調整孔１３を第二透孔５に一致させて調整ボルト１７を第二透孔５側から挿通して方位角位置調整孔１３から突出する該ボルト１７の先端に、調整ナット１９（１９Ａはロックナットを示す）を螺合することにより取付け金具３と支持盤１は互いに組付けられ、アンテナａは支柱ｐに装柱、支持され、実施例装置を得られる。
【符号の説明】
【００１６】
１      支持盤
２      取付け枠
３      取付け金具
３ａ    立面板
３ｂ    水平板
４      第一透孔
５      第二透孔
１０    取付け孔
１１    支持孔
１２    軸孔
１５    軸ボルト
１７    調整ボルト
【図１】
0005379088.tif 000002
【図２】
0005379088.tif 000003
【図３】
0005379088.tif 000004
【図４】
0005379088.tif 000005
【図５】
0005379088.tif 000006
【図６】
0005379088.tif 000007
【図７】
0005379088.tif 000008
【図８】
0005379088.tif 000009
【図９】
0005379088.tif 000010
【図１０】
0005379088.tif 000011